(57)【特許請求の範囲】
【請求項１】
頭皮のフケの状態又は皮膚の健康状態を評価する方法であって、
前記頭皮のフケの状態を評価する方法が、
−頭皮を綿棒で拭うことにより採取した少なくとも１つの試料を提供する工程と、
−ビシンコニン酸組成物であるタンパク質検出組成物を提供する工程と、
−前記試料を前記タンパク質検出組成物と接触させる工程と、
−前記接触させた組成物及び／又は接触させた試料の色を評価する工程と、
−前記色に基づいて前記頭皮のフケの状態を評価する工程であって、頭皮の前記状態に前記色を関連付ける指標を提供する工程を更に含み、前記指標が、頭皮の代表的な状態と、前記代表的な状態に関連付けられる色とを関連付ける工程と、
を含み、
前記皮膚の健康状態を評価する方法が、
−皮膚を綿棒で拭うことにより採取した少なくとも１つの試料を提供する工程と、
−ビウレット試薬組成物であるタンパク質検出組成物を提供する工程と、
−前記試料を前記タンパク質検出組成物と接触させる工程と、
−前記接触させた組成物及び／又は接触させた試料の色を評価する工程と、
−前記色に基づいて前記皮膚の健康状態を評価する工程であって、皮膚の前記状態に前記色を関連付ける指標を提供する工程を更に含み、前記指標が、皮膚の代表的な状態と、前記代表的な状態に関連付けられる色とを関連付ける工程と、
を含む、方法。
【請求項２】
前記試料がインビトロ試料である、請求項１に記載の方法。
【請求項３】
前記色が直接目視検査によって評価される、請求項１又は２に記載の方法。
【請求項４】
コスメティックトリートメントを用いて前記試料を処置する工程を更に含む、請求項１〜３のいずれか一項に記載の方法。
【請求項５】
前記コスメティックトリートメントが、毛髪、頭皮、顔、又は身体の洗浄用組成物、毛髪、頭皮、顔、又は身体のコンディショニング組成物、頭皮ケア用放置式組成物（scalp care leave-on composition）、若しくはそれらの組み合わせからなる群から選択される、請求項４に記載の方法。
【請求項６】
広告の主張を裏付けるために前記評価を利用する工程を更に含む、請求項１〜５のいずれか一項に記載の方法。
【請求項７】
頭皮のフケの状態又は皮膚の健康状態を評価及び比較する方法であって、
前記頭皮のフケの状態を評価及び比較する方法が、
−頭皮を綿棒で拭うことにより採取した少なくとも２つの異なる試料を提供する工程と、
−ビシンコニン酸組成物であるタンパク質検出組成物を提供する工程と、
−前記タンパク質検出組成物を試料と接触させる工程と、
−前記接触させた組成物及び／又は接触させた試料の色を評価する工程と、
−前記色に基づいて前記頭皮のフケの状態を評価する工程であって、頭皮の前記状態に前記色を関連付ける指標を提供する工程を更に含み、前記指標が、頭皮の代表的な状態と、前記代表的な状態に関連付けられる色とを関連付ける工程と、
−前記頭皮のフケの状態を比較する工程と、
を含み、
前記皮膚の健康状態を評価及び比較する方法が、
−皮膚を綿棒で拭うことにより採取した少なくとも２つの異なる試料を提供する工程と、
−ビウレット試薬組成物であるタンパク質検出組成物を提供する工程と、
−前記タンパク質検出組成物を試料と接触させる工程と、
−前記接触させた組成物及び／又は接触させた試料の色を評価する工程と、
−前記色に基づいて前記皮膚の健康状態を評価する工程であって、皮膚の前記状態に前記色を関連付ける指標を提供する工程を更に含み、前記指標が、皮膚の代表的な状態と、前記代表的な状態に関連付けられる色とを関連付ける工程と、
−前記皮膚の健康状態を比較する工程と、
を含む、方法。
【請求項８】
前記試料が、前記皮膚又は頭皮の由来、前記皮膚又は頭皮の部分、及び／又は前記皮膚又は頭皮に適用された処置によって互いに異なっている、請求項７に記載の方法。
【請求項９】
一方の試料が未処置の皮膚又は頭皮を綿棒で拭うことにより採取した試料を含み、もう一方の試料が化粧品組成物で処置された皮膚又は頭皮を綿棒で拭うことにより採取した試料を含む、請求項８に記載の方法。
【請求項１０】
処置対未処置の有効性についての広告の主張を裏付けるために前記評価及び比較を利用する工程を更に含む、請求項９に記載の方法。
【請求項１１】
異なった化粧品処置によって前記試料を処置する、請求項７に記載の方法。
【請求項１２】
他方の処置に対する一方の処置の優位性についての広告の主張を裏付けるために前記評価及び比較を利用する工程を更に含む、請求項１１に記載の方法。
【発明の詳細な説明】
【技術分野】
【０００１】
第１の態様では、本発明は、タンパク質検出組成物と皮膚及び／又は頭皮試料との相互作用によって得られる皮膚及び／又は頭皮の状態を評価する方法に関する。第２の態様では、本発明は、上記の方法を用いて、異なる皮膚及び／又は頭皮の状態を比較する方法に関する。そのような状態としては、例えば、皮膚の健康状態及び頭皮のフケの状態が挙げられる。
【背景技術】
【０００２】
人の皮膚及び頭皮は、周囲環境並びに皮脂及び汗などとの接触によって汚れる。皮膚及び／又は頭皮が汚れることによって、それらが汚れた感じ、並びに魅力的でない外観及び／又は匂いがもたらされる。そのような皮膚／頭皮の汚れは、皮膚の乾燥のような不健康な状態を引き起こす場合がある。乾燥肌などの不健康な皮膚は、水分バランスの取れた健康な皮膚より角質層の細胞層の構成が緩く、剥離しやすい。頭皮のそのような汚れはフケの原因にもなり得る。皮膚／頭皮の汚れのために、頻繁に定期的に洗浄／シャンプーすることが必要になる。
【０００３】
洗浄及び／又はシャンプーすることの影響を含む様々な因子の影響を理解するために、皮膚／頭皮の状態、特にその清潔さ及び／又は健康状態を評価することに興味が持たれる。
【発明の概要】
【発明が解決しようとする課題】
【０００４】
したがって、皮膚及び／又は頭皮の清潔さ及び／又は健康状態を評価するための方法を提供する必要がある。
【０００５】
更に、シャンプー及び／又は頭皮ケア用組成物の影響を含む多様な因子の影響を理解するために、頭皮のフケの状態を評価することにもまた、関心が持たれる。したがって、頭皮のフケの状態を評価する方法を提供することもまた必要である。
【課題を解決するための手段】
【０００６】
本発明は、頭皮のフケの状態又は皮膚の健康状態を評価する方法に関し、
前記頭皮のフケの状態を評価する方法が、
−頭皮を綿棒で拭うことにより採取した少なくとも１つの試料を提供する工程と、
−ビシンコニン酸組成物であるタンパク質検出組成物を提供する工程と、
−タンパク質検出組成物を試料と接触させる工程と、
−タンパク質検出組成物を用いて試料を評価する工程と、
−色に基づいて前記頭皮のフケの状態を評価する工程であって、頭皮の前記状態に前記色を関連付ける指標を提供する工程を更に含み、前記指標が、頭皮の代表的な状態と、前記代表的な状態に関連付けられる色とを関連付ける工程と、
を含み、
前記皮膚の健康状態を評価する方法が、
−皮膚を綿棒で拭うことにより採取した少なくとも１つの試料を提供する工程と、
−ビウレット試薬組成物であるタンパク質検出組成物を提供する工程と、
−前記試料を前記タンパク質検出組成物と接触させる工程と、
−前記接触させた組成物及び／又は接触させた試料の色を評価する工程と、
−前記色に基づいて前記皮膚の健康状態を評価する工程であって、皮膚の前記状態に前記色を関連付ける指標を提供する工程を更に含み、前記指標が、皮膚の代表的な状態と、前記代表的な状態に関連付けられる色とを関連付ける工程と、
を含む。
【０００７】
本発明は、頭皮のフケの状態又は皮膚の健康状態を評価及び比較する方法にもまた関し、
前記頭皮のフケの状態を評価及び比較する方法が、
−頭皮を綿棒で拭うことにより採取した少なくとも２つの異なる試料を提供する工程と、
−ビシンコニン酸組成物であるタンパク質検出組成物を提供する工程と、
−タンパク質検出組成物を試料と接触させる工程と、
−接触させた組成物及び／又は接触させた試料の色を評価する工程と、
−色に基づいて前記頭皮のフケの状態を評価する工程であって、頭皮の前記状態に前記色を関連付ける指標を提供する工程を更に含み、前記指標が、頭皮の代表的な状態と、前記代表的な状態に関連付けられる色とを関連付ける工程と、
−頭皮のフケの状態又は皮膚の健康状態を比較する工程と、
を含み、
前記皮膚の健康状態を評価及び比較する方法が、
−皮膚を綿棒で拭うことにより採取した少なくとも２つの異なる試料を提供する工程と、
−ビウレット試薬組成物であるタンパク質検出組成物を提供する工程と、
−前記タンパク質検出組成物を試料と接触させる工程と、
−前記接触させた組成物及び／又は接触させた試料の色を評価する工程と、
−前記色に基づいて前記皮膚の健康状態を評価する工程であって、皮膚の前記状態に前記色を関連付ける指標を提供する工程を更に含み、前記指標が、皮膚の代表的な状態と、前記代表的な状態に関連付けられる色とを関連付ける工程と、
−前記皮膚の健康状態を比較する工程と、
を含む。
【０００８】
この方法は、頭皮試料のフケの状態を含む、皮膚及び／又は頭皮の試料の清潔さ及び／又は健康状態を評価することを可能にする。
【０００９】
いくつかの方法は、更に、異なる試料の清潔さ、健康状態、及び／又はフケの状態などの状態を比較することを可能にする。そのような方法は、清潔さ、健康状態、及び／又はフケ予防効果に関しての、他の組成物及び／又は処置と比較した場合の組成物の優位性についての広告を裏付けるためにもまた有用である。
【図面の簡単な説明】
【００１０】
【図１】頭皮の写真。
【図２】頭皮の写真。
【図３】頭皮の写真。
【図４】肘の写真。
【図５】肘の写真。
【発明を実施するための形態】
【００１１】
皮膚及び／又は頭皮試料
本発明による方法は、皮膚及び／又は頭皮の少なくとも１つの試料を提供すること（「試料提供工程」と呼ばれる）を含む。前記試料は、インビトロ試料、すなわちヒトから採取した試料であることが好ましい。そのような試料は任意の方法で採取してもよい。本発明においては、例えば、綿棒で試料を採取できることが好ましい。
【００１２】
１つの試料は、通常、１つの由来の（例えば、同一人物及び身体の同じ部位からの）皮膚又は頭皮、及び／又は１つのコスメテックトリートメントに曝された皮膚又は頭皮を含む。
【００１３】
適切な評価及び／又は比較のために、ほぼ同じ条件で試料を採取することが好ましい。例えば、綿棒で採取される試料の状態を評価するときは、ほぼ同じ大きさ及び硬さの綿棒を使用し、そのような綿棒で皮膚及び／又は頭皮をほぼ同じやり方で、つまり、ほぼ同じ平方センチメートルの範囲内を、ほぼ同じ強さで、ほぼ同じ回数、拭うことが好ましい。
【００１４】
タンパク質検出組成物
本発明は、更に、タンパク質検出組成物を提供する工程（「組成物提供工程」と呼ばれる）を含む。試料と相互作用し、組成物及び／又は試料の色を変えることができる組成物である限りは、任意のタンパク質検出組成物を使用してもよい。そのような組成物としては、例えば、ニンヒドリン組成物、ビシンコニン酸組成物、ビウレット試薬組成物、クーマシーブリリアントブルーＧ２５０、及びそれらの混合物が挙げられる。それらの中でも好ましいのは、ビウレット試薬組成物、ビシンコニン酸組成物、及びそれらの混合物からなる群から選択されるものである。
【００１５】
本発明において有用なビウレット試薬組成物としては、例えば、約０．７５％〜約１．２％のＣｕＳＯ4・５Ｈ2Ｏと約３％〜４．８％のＫＮａＣ4Ｈ4Ｏ6・４Ｈ2Ｏを含有する水溶液であって、好ましくは約１０〜約１４、より好ましくは約１２〜約１４のｐＨを有するものが挙げられる。本発明に有用なビシンコニン酸（ＢＣＡ）組成物はビシンコニン酸を含有する水溶液であり、これは、他の成分から分離することができ、ＢＣＡ組成物を皮膚／頭皮資料と接触させる直前にそれらと混合することができるものであり、他の成分とは、硫酸銅のようなＣｕ2+イオンプロバイダー、炭酸ナトリウム、及び高アルカリ環境をもたらすための水酸化ナトリウムのようなアルカリ剤である。
【００１６】
本発明には、ｈｙｇｉｅｎａから入手可能なＰＲＯ−Ｃｌｅａｎ（商標）という名称のキットに含まれているような任意の市販のＢＣＡ組成物を使用することができる。
【００１７】
接触
この方法は、更に、試料をタンパク質検出組成物と接触させる工程（「接触工程」と呼ばれる）を含む。
【００１８】
接触工程は、任意の適した手段により、タンパク質検出組成物が試料と相互作用するために十分な既定の時間にかけて試料をタンパク質検出組成物と接触させることによって、実行することができる。本明細書で以降においては、この工程の実行後の試料及びタンパク質検出組成物をそれぞれ「接触させた試料」及び「接触させた組成物」と呼ぶ場合がある。
【００１９】
タンパク質検出組成物が溶液の形状で提供されるときは、溶液に前記試料を浸漬する手段によって試料をタンパク質検出組成物と接触させることができる。そのような手段としては、例えば、綿棒状のキットが挙げられ、このキットは、先端の綿の部分から分離された内部に溶液を貯留しているスティック部と、試料を採取するための先端の綿の部分と、溶液を先端の綿の部分に浸透させ始めることができるイニシエータと、を含む。
【００２０】
「タンパク質検出組成物が試料と相互作用するために十分な所定の時間」は、温度及び／又はタンパク質検出組成物によって異なる場合があり、例えば、５秒〜１０分、より好ましくは１０秒〜５分である。
【００２１】
温度が高いとき及び／又は組成物中の成分濃度が高いときほど、適切な接触時間が短くなる傾向がある。温度が低いとき及び／又は組成物中の成分濃度が低いときほど、適切な接触時間が長くなる傾向がある。接触時間が短すぎる又は長すぎると、適切な評価が得られない場合がある。
【００２２】
例えば、ｈｙｇｉｅｎａから入手可能なＰＲＯ−Ｃｌｅａｎ（商標）に含有されているＢＣＡ組成物を使用してフケの状態を評価するときは、２５℃で、接触時間は約９０秒〜約３００秒であることが好ましく、より好ましくは約９０秒〜約１８０秒であり、更に好ましくは約１００秒〜約１４０秒である。
【００２３】
例えば、ビウレット試薬組成物（１．２％のＣｕＳＯ4・５Ｈ2Ｏと４．８％のＫＮａＣ4Ｈ4Ｏ6・４Ｈ2Ｏを含有し、ｐＨ  １３である）を使用して皮膚の健康状態を評価するときは、２５℃で、接触時間は、好ましくは約５秒〜約６０秒、より好ましくは約１０秒〜約４０秒、更に好ましくは約１５秒〜約３０秒である。
【００２４】
色の評価
この方法は、更に、接触させた組成物及び／又は接触させた試料の色を評価する工程（「色評価工程」と呼ばれる）を含む。
【００２５】
色は、試料、タンパク質検出組成物、及び／又は接触条件によって異なる場合がある。
【００２６】
色評価工程は、検出に適した任意の装置を使用して、必要に応じて色の表示及び／又は記録工程を使用して、実行することができる。色は、例えば、観察など直接目視検査又は写真分析のような間接目視検査のいずれかの目視検査による定性評価であってもよい。直接目視検査は、いかなる電気計測装置も必要とせずに試料を目視する工程を含む。写真分析は、試料の写真を撮影する工程と、目視検査又はコンピュータによる検査によって写真を分析する工程とを含む。
【００２７】
キット
本発明では、キットを使用して上記の工程の少なくともいくつかをより容易に行うことができる。
【００２８】
例えば、Ｈｙｇｉｅｎａが提供する「ＰＲＯ−Ｃｌｅａｎ（商標）」という名称の市販のキットは、綿棒と、綿棒から分離して貯留されているタンパク質検出組成物と、試料採取の前及び後に綿棒を保管する場所と、組成物が試料採取後の綿棒と相互作用することができるようにタンパク質検出組成物を綿棒の保管場所に送るための活性剤と、を含んでいる。
【００２９】
例えば、従来の綿棒のような外観のキット（以降、「ヘルス乳頭ペン」と呼ばれる）もまた使用することができ、このキットは、次のことにおいて従来の綿棒と異なる。
綿の部分から分離されている、タンパク質検出組成物を保留している中空の幹を有し、更に、
組成物が綿の部分に浸透し始めるようにするための活性剤もまた有する。
【００３０】
状態の評価及び指標
この方法は、更に、接触させた組成物及び／又は接触させた試料の色によって皮膚及び／又は頭皮の状態を評価する工程（「状態評価工程」と呼ばれる）を含む。本明細書で評価されるそのような状態は、皮膚及び／又は頭皮の脂肪分の少なさ、皮膚及び／又は頭皮の健康、及び頭皮のフケの状態、及びこれらの組み合わせからなる群から選択される。
【００３１】
驚くべきことに、当該発明者らは、タンパク質検出組成物と皮膚及び／又は頭皮試料との相互作用の結果として得られる色が、健康状態、清潔さ、及び／又は、特に頭皮に関してのフケなどの皮膚／頭皮の状態と緊密に相関していることを見出した。
【００３２】
この状態の評価は、少なくともいくつかの代表的な皮膚／頭皮状態と、それぞれの代表的な状態と関連付けられるいくつかの色と、を関連付ける指標を使用することによって行うことができる。したがって、この方法は、色と状態とを関連付ける指標を提供する工程もまた備える場合がある。この指標は、評価環境の温度及び／又は接触時間に依存して、それぞれのタンパク質検出組成物のために用意することができる。
【００３３】
状態評価は、例えば、この指標を使用することによる直接目視検査を含む目視検査、及び／又は、その指標を使用することにより、必要に応じて色に基づく状態を更に表示及び／又は記録して評価するためのＰＣ及びそのプログラムなど、任意の適した方法を用いて実行することができる。
【００３４】
例えば、ｈｙｇｉｅｎｅから入手可能なＰＲＯ−Ｃｌｅａｎ（商標）に含まれている組成物を使用して頭皮の状態、特にフケの状態を評価する場合、色は緑色から、灰色、薄紫色、濃い紫色へと変化することができる。そのような場合、例えば、２５℃で１２０秒間接触させたとき、フケの状態は以下のように評価することができる。
色が緑色のとき、頭皮は健康である、及び／又は、より少ないフケが頭皮に存在する。
色が灰色のとき、頭皮は中程度にフケのある状態であり、
色が薄紫色から濃い紫色のとき、頭皮は重度のフケ状態である、及び／又は、より多くのフケが頭皮に存在する。
【００３５】
例えば、ビウレット試薬組成物（１．２％のＣｕＳＯ4・５Ｈ2Ｏ及び４．８％のＫＮａＣ4Ｈ4Ｏ6・４Ｈ2Ｏを含有するｐＨ  １３の組成物）を使用して皮膚の状態、特に皮膚の健康状態を評価する場合、色は薄青色から薄ブルーグレー色、薄紫色、濃い紫色へと変化することができる。そのような場合、健康状態は、例えば、２５℃で約１５秒〜約３０秒間接触させることによって以下のように評価することができる。
色が薄青色のとき、皮膚は健康である、及び／又は、より少ない垢／細菌が皮膚に存在する。
色が薄ブルーグレー又は薄紫色のとき、皮膚は中程度の垢／細菌の状態を有し、
色が濃い紫色又は、濃い紫色に近い色のとき、皮膚は深刻な健康状態である、及び／又は、より多くの垢／細菌が皮膚に存在する。
【００３６】
処置
本方法はまた、試料を処置する工程（「処置工程」と呼ばれる）もまた含む場合がある。処置工程は、試料提供工程の前に実行されるのが好ましい。処置工程は、任意の好適な化粧品組成物を使用して皮膚及び／又は頭皮を処置することによって実行することができる。
【００３７】
この工程は、化粧品組成物を皮膚及び／又は頭皮に塗布することによって実行することができる。毛髪、頭皮、顔、又は身体の洗浄用組成物、毛髪、頭皮、顔、又は身体のコンディショニング組成物、放置式の頭皮ケア用組成物、又はこれらの組み合わせのような、当該技術分野で周知の任意の適した化粧品組成物を用いることができる。例えば、Ｐａｎｔｅｎｅ（登録商標）及びＨｅａｄ  ＆  Ｓｈｏｕｌｄｅｒｓ（登録商標）という商品名のものなど、任意の市販のシャンプー、コンディショナー、頭皮ケア用放置式トリートメントを使用することができる。例えば、皮膚には、Ｓａｆｅｇｕａｒｄ（登録商標）の任意の市販のパーソナルクレンジング剤を使用することができる。
【００３８】
１種類の組成物のみを皮膚及び／又は頭皮に適用することができる。あるいは、２つ又はいくつかの組成物を同時に又は順次に適用することができる。更に、それぞれの組成物の適用前及び／又は後に、皮膚及び／又は頭皮を更に濡らすこと、漱ぐこと、及び／又は乾燥することができる。
【００３９】
比較
方法が少なくとも２つの異なる試料を提供する工程を含むときは、その方法は、それらの試料の状態を比較する工程もまた含む（「比較工程」と呼ばれる）。試料の状態の比較は、例えば、指標を使用する目視検査を含む任意の好適な手段によって行うことができる。比較工程は、例えば、未処置／処置後の効果、異なる処置の効果、及び／又は異なる化粧品組成物の効果の比較のために有用である。
【００４０】
この方法は、少なくとも２つ、好ましくは２つ〜４つ、より好ましくは２つの異なる皮膚及び／又は頭皮の試料を提供する工程を含む。本明細書で用いるとき、「異なる試料」は、皮膚及び／又は頭皮の由来、皮膚及び／又は頭皮の部分、及び／又は皮膚及び／又は頭皮に適用された処置が互いに異なる試料を意味する。
【００４１】
一実施形態では、それらの試料を別の人から採取することができる。あるいは、同一人物の異なる皮膚及び／又は頭皮の部分から試料を採取してもよい。
【００４２】
別の実施形態では一方の試料が未処置の皮膚及び／又は頭皮を含み、もう一方の試料が化粧品組成物で処置された皮膚及び／又は頭皮を含んでもよい。処置後の試料と未処置の試料との比較は、例えば頭皮のシャンプー組成物の防フケの便益の評価など、化粧品組成物の影響を評価するために有益である。
【００４３】
本明細書で使用するとき、「異なる試料」は、繊維の由来、繊維の部分及び／又は繊維に適用された処置によって互いに異なっている試料を指す。処置後の試料と未処置の試料との比較は、例えば頭皮のシャンプー組成物の防フケの便益の評価など、化粧品組成物の影響を評価するために有益である。
【００４４】
広告工程
この方法は、広告の主張を裏付けるために前記評価を使用する工程（「広告工程」と呼ばれる）もまた含む。実際、本発明の方法は、色を用いた皮膚及び／又は頭皮の状態の相関を可能にする。１つの処置（例えば、身体、毛髪又は頭皮の洗浄用組成物）を広告するとき、本方法を使用して得られたデータ及び／又は写真を使用して、前記処置が健康状態及び清潔さを改善及び／又は維持する及び／又はフケを改善又は予防するという広告の主張を、裏付ける及び／又は実証することができる。
【実施例】
【００４５】
（１）実施例１−頭皮のフケの状態の評価
材料
頭皮：年齢１７〜７５歳の中国人女性
タンパク質検出組成物：ｈｙｇｉｅｎａから入手可能なＰＲＯ−Ｃｌｅａｎ（商標）
綿棒：ｈｙｇｉｅｎａから入手可能なＰＲＯ−Ｃｌｅａｎ（商標）
【００４６】
プロトコル
実行される方法に応じて、工程の一部、例えば処置工程は、省略される場合がある。
１．［試料提供工程］ｈｙｇｉｅｎａから入手可能なＰＲＯ−Ｃｌｅａｎ（商標）を使用して一人の頭皮を１２回拭うことによって各試料を準備した。それぞれの拭う動作は、約６ｃｍの幅で、同じ頭皮部分を拭わないように異なる頭皮部分で行った。
２．［組成物提供工程］ｈｙｇｉｅｎａから入手可能なＰＲＯ−Ｃｌｅａｎ（商標）をタンパク質検出組成物として準備した。
３．［接触工程］綿棒をＰＲＯ−Ｃｌｅａｎ（商標）に戻し、タンパク質検出組成物と試料の相互作用を開始し、２５℃で１２０秒間接触させた。
４．［色評価工程］直接目視検査による、接触させた組成物の色の評価。
５．［状態評価工程］以下の表１に詳細を記した指標を用いる直接目視検査による、フケの状態の評価。
【００４７】
【表１】
0005869116.tif 000002
【００４８】
異なる人のフケの状態の評価及び比較
異なる３人の３つの試料を提供する。上記の材料、プロトコル及び指標にしたがってフケの状態を評価する。評価結果を以下の表２に示す。
【００４９】
【表２】
0005869116.tif 000003
【００５０】
色に基づく上記のフケの状態は、図１〜３に示す頭皮の実際の状態とよく相関している。
【００５１】
（１）実施例２−皮膚の健康状態の評価
材料
皮膚：年齢２０〜５０歳の中国人女性及び男性の肘
タンパク質検出組成物：１．２％のＣｕＳＯ4・５Ｈ2Ｏと４．８％のＫＮａＣ4Ｈ4Ｏ6・４Ｈ2Ｏを含む、ｐＨ  １３のビウレット試薬組成物
綿棒：木綿１００％の綿部分と長さ８ｃｍ、直径０．３ｃｍの中空の幹を有する健康テストペン
洗浄用組成物：以下に記載の成分を有するＳａｆｅｇｕａｒｄボディソープ
【００５２】
【表３】
0005869116.tif 000004
【００５３】
化合物の百分率は組成物の総重量当たりの重量百分率である。
【００５４】
プロトコル
実行される方法に応じて、工程の一部、例えば処置工程は、省略される場合がある。
１．［処置工程］ボディソープを下記のように適用することにより皮膚を処置することができ、以下においては、そのような処置をした皮膚から得られた試料を「トリートメントされた試料」と呼ぶ。
０．５ｍＬのボディソープをそれぞれの試料の前腕に乗せ、手でその部分を１５秒間擦り、水で２０秒間漱ぎ、ティッシュペーパーを使用してやさしくその部分を乾燥する。
２．［試料提供工程］健康テストペンで肘を５回拭う。
３．［組成物提供工程］上記のビウレット試薬組成物をタンパク質検出組成物として準備する。
４．［接触工程］タンパク質検出組成物と試料との相互作用を開始し、２５℃で１５秒〜３０秒間接触させる。
５．［色評価工程］直接目視検査による、綿棒の色の評価。
６．［状態評価工程］以下の表３に詳細に記されている指標を用いる直接目視検査による、皮膚の健康状態の評価。
【００５５】
【表４】
0005869116.tif 000005
【００５６】
Ｓａｆｅｇｕａｒｄの使用前／使用後の皮膚の健康状態の評価及び比較
同一人物の２つの試料を提供する。一方の試料は未処置のままにし、もう一方の試料はＳａｆｅｇｕａｒｄで処置する。上記の材料、プロトコル及び指標にしたがって状態を評価する。評価結果を以下の表４に示す。
【００５７】
【表５】
0005869116.tif 000006
【００５８】
色に基づいた上記の皮膚健康状態の評価は、図４及び５に示す皮膚の実際の状態とよく相関している。
【００５９】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００６０】
相互参照されるか又は関連する全ての特許又は特許出願を含む、本願に引用される全ての文書を、特に除外すること又は限定することを明言しない限りにおいて、その全容にわたって本願に援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００６１】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
0005869116.tif 000007
【図２】
0005869116.tif 000008
【図３】
0005869116.tif 000009
【図４】
0005869116.tif 000010
【図５】
0005869116.tif 000011